(57)【要約】ワイパー用ディスペンサーである。本ディスペンサーは、単一一体ヒンジと、ポップアップカバーとを備える。単一ヒンジにより、構成、加工及び使用の簡略化が可能となる。また、この一体ヒンジは、補助的な機械的ヒンジの必要性を取り除く。ポップアップカバーにより、蓋を開放位置において手で押さえる必要なく、片手で簡単にワイパーを取出すことができる。
2004531436.tif 000002
【特許請求の範囲】
【請求項１】
ワイパーを取出すためのディスペンサーであって、前記ディスペンサーが本体に装着される蓋を備え、前記蓋が単一の材料片で構成され、
前記蓋が、
ａ）取出し開口と、
ｂ）カバーと、前記カバーが外側封止部と、内側封止部と、後部周囲封止部を包含する周囲封止部と、係止機構とを備え、
ｃ）前記カバーを前記蓋に接続するヒンジと、前記ヒンジが段部と、ヒンジ段部接触部材と、たわみ部材とを包含し、
ｄ）前記取出し開口に隣接する内側環と、
ｅ）前記内側環に隣接する中間環と、
ｆ）前記中間環に隣接する外側環と、
ｇ）前記外側環に隣接する前記下部蓋と、前記下部蓋が押し下げ部材を包含し、
ここで、前記ヒンジ段部接触部材が、前記段部と接触して第一の干渉を生成し、結果として、前記たわみ部材の外側へのたわみを生成し、第一の貯蔵エネルギーを生成し、前記カバーの前記後部周囲封止部が、前記中間環と前記外側環とにより形成された前記壁に接触することにより第二の干渉を生成し、結果として付加的貯蔵エネルギーを生成し、前記外側封止部が、前記外側環と前記蓋表面とにより形成された前記壁と接触し、前記ラッチ留具が、前記係止機構と係合するディスペンサー。
【請求項２】
前記内側環が、前記中間環につながる外側テーパ状表面を有する、請求項１に記載のディスペンサー。
【請求項３】
前記内側封止部が、テーパ状表面を有する、請求項１に記載のディスペンサー。
【請求項４】
前記ディスペンサーが、射出成型される、請求項１に記載のディスペンサー。
【請求項５】
前記ディスペンサーが、ポリプロピレンを含む、請求項４に記載のディスペンサー。
【請求項６】
前記ポリプロピレンが、１．９の溶融流量を有する、請求項５に記載のディスペンサー。
【請求項７】
支持リブを備える、請求項１に記載のディスペンサー。
【発明の詳細な説明】
【技術分野】
【０００１】
（関連出願に対する相互対照）
本出願は、２００１年６月２９日に出願された米国特許仮出願番号第６０／３０２，２６５号の利益を請求する。
【０００２】
（発明の分野）
本発明は、ポップアップカバー及びポップアップワイパー能力を特徴とするワイパー用ディスペンサーに関する。
【背景技術】
【０００３】
従来技術におけるワイパー用ディスペンサーの制限の１つは、単一のディスペンサーが、そのディスペンサーを構成するのに幾つかの異なる材料を必要とすることである。例えば、ディスペンサーの本体がある材料で作製され、蓋が第二の異なる材料で作製され、ディスペンサー本体を蓋に接続するヒンジが更に第三の材料で作製されることがある。これは、ディスペンサー製造プロセスを複雑にする。
【０００４】
更に、ヒンジは、一般的には、ばね、ストラップ、又は他の類似の弾性材料などのある種類の機械的装置からなる。当該装置は、１９９９年１０月２７日に公開されたＥＰ０９５２０８８及びイシカワ（Ishikawa）らに対して１９９７年１２月２３日に発行された米国特許第５，６９９，９１２号に開示されている。これらの種類の機械的ヒンジ装置における欠点は、機械的故障が生じやすいことである。更に、これらの種類の機械的ヒンジ装置は、ディスペンサーの製造を更に複雑にする。
【０００５】
従来技術におけるワイパー用ディスペンサーの別の一般的な制限は、蓋が閉じられている時に、ディスペンサー内に収容された湿ったワイパーが、乾燥から十分に保護されていないということである。
【発明の開示】
【発明が解決しようとする課題】
【０００６】
本発明は、これらの制限を解決する。ディスペンサーは、２つの部品のみ、即ち、ワイパーを収容するための本体と、ワイパーを取出す開口を覆う蓋とを備える。機械的部品はない。蓋構成の一部である一体ヒンジは、蓋を開閉する目的で使用される。従って、ディスペンサー製造プロセスは、非常に簡略化される。更に、ディスペンサーは、蓋が閉鎖位置にある時、ワイパーから液体が蒸発するのを防止するための封止手段を包含する。更にまた、蓋は、ワイパーを取出す間、使用者はカバーを開放位置において手で押さえる必要なく、片手で簡単にワイパーを取出すことができるポップアップカバーを伴って設計される。
【課題を解決するための手段】
【０００７】
本発明は、ワイパーを取出すためのディスペンサーに関する。このディスペンサーは、本体に装着される蓋を備える。蓋は、単一の材料片で構成される。蓋は、取出し開口と、カバーとを包含する。カバーは、外側封止部と、内側封止部と、後部周囲封止部を包含する周囲封止部と、係止機構とを備える。蓋はまた、カバーを蓋に接続するヒンジを包含する。ヒンジは、段部と、ヒンジ段部接触部材と、たわみ部材とを包含する。蓋はまた、取出し開口に隣接する内側環を包含する。中間環は、内側環に隣接する。外側環は、中間環に隣接する。下部蓋は、外側環に隣接する。下部蓋は、押し下げ部材を包含する。ヒンジ段部接触部材は、段部と接触して第一の干渉を生成し、結果として、たわみ部材の外側へのたわみを生成し、第一の貯蔵エネルギーを生成する。カバーの後部周囲封止部は、中間環と外側環とにより形成された壁に接触することにより第二の干渉を生成し、結果として、付加的貯蔵エネルギーを生成する。外側封止部は、外側環と蓋表面とにより形成された壁と接触する。ラッチ留具は、係止機構と係合する。
【０００８】
ディスペンサーは、中間環につながる外側テーパ状表面を包含する内側環を有してもよい。ディスペンサーはまた、テーパ状表面を備える内側封止部を有してもよい。ディスペンサーは、任意選択的に支持リブを包含してもよい。
【発明を実施するための最良の形態】
【０００９】
本発明は、ワイパーを取出すためのディスペンサーに関する。図１を参照すると、ディスペンサー１は、本体５に装着される蓋３を備える。蓋３は、取出し開口６４と、ヒンジ５１とにより蓋３に接続されるカバー９を備える。蓋３及び全てのその構成要素は、単一の一体材料片から構成される。蓋３はまた、取出し開口６４に隣接する内側環６６と、内側環６６に隣接する中間環６８と、中間環６８に隣接する外側環７０とを包含する。内側環６６は、好ましくは、中間環６８につながる外側テーパ状表面を有する。
【００１０】
下部蓋７２は、外側環７０に隣接する。下部蓋７２はまた、押し下げ部材６２を包含する。カバー９が図６に示すような閉鎖位置にある時、使用者は、押し下げ部材６２を押し下げることによって、カバー９を図１、図２、図４、及び図５に示すような開放位置に解放してもよい。これにより、カバー９がポップアップする。
【００１１】
図１を参照すると、カバー９は、ヒンジ５１を備える。ヒンジ５１は、段部５０と、ヒンジ段部接触部材５２とを包含する。カバー９はまた、後部周囲封止部２４を備える周囲封止部２０を包含する。カバー９は、更に、外側封止部２１と、内側封止部２２とを包含する。好ましくは、内側封止部２２は、テーパ状表面を有する。カバー９はまた、係止機構２３を包含する。任意選択的に、カバー９は、１以上の支持リブ４５を包含してもよい。
【００１２】
理論により拘束されることを望まないが、カバー９のポップアップ機構は、以下の構造により作動すると考えられている。図２、図２Ａ、図２Ｂ、及び図２Ｃを参照すると、使用者がカバー９を閉め始める時、ヒンジ段部接触部材５２が段部５０に接触する。図２Ｂを参照すると、ここで、第一の干渉５６を生成し、結果として、たわみ部材５３が外側へたわむ。この第一の干渉５６は、第一の貯蔵エネルギーを生成する。図２Ｃを参照すると、使用者がカバー９を閉め続けると、カバー９の後部周囲封止部２４が、中間環６８と、外側環７０とにより形成された壁６９に接触する時、第二の干渉５７を生成する。この第二の干渉５７は、付加的貯蔵エネルギーを生成する。図３Ａ、図６、及び図６Ａに示すように、外側封止部２１が、外側環７０と、蓋表面７２とにより形成された壁７１に接触し、ラッチ留具６１が係止機構２３と係合する時に、カバー９は、完全に閉められると共に封止される。これは、取出し開口６４の周りに封止を生成し、それにより、ワイパーからの水分の損失が防止される。
【００１３】
任意選択的に、図１に示すように、１以上のリブ４５が、カバー９の構造支持体として使用されてもよい。使用者が押し下げ部材６２を押し下げると、貯蔵エネルギーが放出され、それにより、カバー９がポップアップする。
【００１４】
本発明に適するディスペンサー１は、射出成形又は当業者に既知の他のいかなる好適な技術によって製造されてもよい。限定はされないが、好適なディスペンサー用構成材料としては、ポリプロピレンなどの塑性体が挙げられる。好適なポリプロピレンとしては、１．９の溶融流量を有するポリプロピレンが挙げられる。当該のポリプロピレンは、テキサス州、ヒューストン（Houston, Texas）のイクイスターケミカルズ・エルピー社（Equistar Chemicals LP）からＰＰ  ＴＲ３７５として販売されている。
【００１５】
本発明の特定の実施形態について図示し、説明してきたが、本発明の主旨及び範囲を逸脱せず様々な変更及び修正を行ってもよいことは当業者には明らかである。
【図面の簡単な説明】
【００１６】
【図１】本発明のディスペンサーの一実施形態の等角投影図である。
【図２】図１のディスペンサーの側面図であり、開放位置にあるカバーを示している。
【図２Ａ】図２の線４−４に沿った断面図である。
【図２Ｂ】図２の線４−４に沿った断面図である。
【図２Ｃ】図２の線４−４に沿った断面図である。
【図３】図１のディスペンサーの側面図であり、閉鎖位置にあるディスペンサーカバーを示している。
【図３Ａ】図３の線６−６に沿った断面図である。
【図４】図１のディスペンサーの部分上面等角図である。
【図５】図１のディスペンサーの部分側面等角図である。
【図６】図１のディスペンサーの部分上面等角図であり、閉鎖位置にあるカバーを示している。
【図６Ａ】図６の線７−７に沿った断面図である。
【図２Ｃ】
2004531436.tif 000003
【国際公開パンフレット】
2004531436.tif 000004
2004531436.tif 000005
2004531436.tif 000006
2004531436.tif 000007
2004531436.tif 000008
2004531436.tif 000009
2004531436.tif 000010
2004531436.tif 000011
2004531436.tif 000012
2004531436.tif 000013
2004531436.tif 000014
2004531436.tif 000015
2004531436.tif 000016
2004531436.tif 000017
2004531436.tif 000018
2004531436.tif 000019
2004531436.tif 000020
2004531436.tif 000021
2004531436.tif 000022
2004531436.tif 000023
【国際公開パンフレット（コレクトバージョン）】
2004531436.tif 000024
2004531436.tif 000025
【国際公開パンフレット（コレクトバージョン）】
2004531436.tif 000026
2004531436.tif 000027
2004531436.tif 000028
2004531436.tif 000029
2004531436.tif 000030
2004531436.tif 000031
2004531436.tif 000032
2004531436.tif 000033
2004531436.tif 000034
2004531436.tif 000035
2004531436.tif 000036
2004531436.tif 000037
2004531436.tif 000038
2004531436.tif 000039
2004531436.tif 000040
2004531436.tif 000041
2004531436.tif 000042
2004531436.tif 000043
2004531436.tif 000044
2004531436.tif 000045
【国際調査報告】
2004531436.tif 000046
2004531436.tif 000047
2004531436.tif 000048